(57)【要約】【課題】携帯端末から画像形成装置のジョブを実行し、ジョブ実行結果を情報処理装置に記憶することでユーザーの利便性を向上できる画像形成システムを提供する。【解決手段】（１）においてユーザーが画像形成装置１００に原稿をセットし、（２）においてユーザーが携帯端末２００により原稿を読み取るジョブ実行要求通知を画像形成装置１００に送信する。（３）において画像形成装置１００がジョブを実行し、（４）においてジョブ実行結果をＰＣ３００に送信する。（５）において携帯端末２００が画像形成装置１００からジョブ実行完了通知を受信する。ユーザーが携帯端末２００からジョブの実行結果の表示操作を行うと、（６）において携帯端末２００がＰＣ３００にジョブ実行結果要求通知を送信し、（７）においてＰＣ３００からジョブ実行結果を受信すると表示する。ジョブ実行結果を消去すると、（８）において携帯端末２００がジョブ実行結果を削除する。【選択図】図３
2015203967.tif 000002
【特許請求の範囲】
【請求項１】
携帯端末と画像形成装置と情報処理装置とを有する画像形成システムであって、
前記携帯端末は、
前記画像形成装置にジョブ実行要求通知を送信するジョブ実行要求通知送信手段と、
前記ジョブ実行要求通知のジョブの実行が完了すると前記画像形成装置からジョブ実行完了通知を受信するジョブ実行完了通知受信手段と、
前記ジョブ実行完了通知を受信すると前記情報処理装置にジョブ実行結果要求通知を送信するジョブ実行結果要求通知送信手段と、
前記ジョブ実行結果要求通知を送信すると前記情報処理装置からジョブ実行結果を受信する携帯端末ジョブ実行結果受信手段と、
前記ジョブ実行結果を受信すると前記ジョブ実行結果を記憶する携帯端末ジョブ実行結果記憶手段と
を備え、
前記画像形成装置は、
前記携帯端末から前記ジョブ実行要求通知を受信するジョブ実行要求通知受信手段と、
前記ジョブ実行要求通知を受信すると前記ジョブを実行するジョブ実行手段と、
前記ジョブの実行が完了すると前記情報処理装置にジョブ実行結果を送信する画像形成装置ジョブ実行結果送信手段と、
前記情報処理装置に前記ジョブ実行結果を送信すると前記携帯端末に前記ジョブ実行完了通知を送信するジョブ実行完了通知送信手段と
を備え、
前記情報処理装置は、
前記画像形成装置から前記ジョブ実行結果を受信する情報処理装置ジョブ実行結果受信手段と、
前記ジョブ実行結果を受信すると前記ジョブ実行結果を記憶する情報処理装置ジョブ実行結果記憶手段と、
前記携帯端末からジョブ実行結果要求通知を受信するジョブ実行結果要求通知受信手段と、
前記ジョブ実行結果要求通知を受信すると前記携帯端末に前記ジョブ実行結果を送信する情報処理装置ジョブ実行結果送信手段と
を備えることを特徴とする画像形成システム。
【請求項２】
前記携帯端末は、
受信した前記ジョブ実行結果を表示するジョブ実行結果表示手段と、
表示されている前記ジョブ実行結果を消去すると記憶されている前記ジョブ実行結果を削除するジョブ実行結果削除手段と
を備えることを特徴とする請求項１に記載の画像形成システム。
【請求項３】
前記ジョブは、原稿を読み取るジョブであることを特徴とする請求項１または請求項２に記載の画像形成システム。
【請求項４】
前記ジョブは、画像データからプレビュー画像データを作成するジョブであることを特徴とする請求項１または請求項２に記載の画像形成システム。
【請求項５】
画像形成装置にジョブ実行要求通知を送信するジョブ実行要求通知送信手段と、
前記ジョブ実行要求通知のジョブの実行が完了すると前記画像形成装置からジョブ実行完了通知を受信するジョブ実行完了通知受信手段と、
前記ジョブ実行完了通知を受信すると情報処理装置にジョブ実行結果要求通知を送信するジョブ実行結果要求通知送信手段と、
前記ジョブ実行結果要求通知を送信すると前記情報処理装置からジョブ実行結果を受信するジョブ実行結果受信手段と、
前記ジョブ実行結果を受信すると前記ジョブ実行結果を記憶するジョブ実行結果記憶手段と
を備えることを特徴とする携帯端末。
【請求項６】
受信した前記ジョブ実行結果を表示するジョブ実行結果表示手段と、
表示されている前記ジョブ実行結果を消去すると記憶されている前記ジョブ実行結果を削除するジョブ実行結果削除手段と
を備えることを特徴とする請求項５に記載の携帯端末。
【請求項７】
携帯端末からジョブ実行要求通知を受信するジョブ実行要求通知受信手段と、
前記ジョブ実行要求通知を受信するとジョブを実行するジョブ実行手段と、
前記ジョブの実行が完了すると情報処理装置にジョブ実行結果を送信するジョブ実行結果送信手段と、
前記情報処理装置に前記ジョブ実行結果を送信すると前記携帯端末にジョブ実行完了通知を送信するジョブ実行完了通知送信手段と
を備えることを特徴とする画像形成装置。
【請求項８】
画像形成装置からジョブ実行結果を受信するジョブ実行結果受信手段と、
前記ジョブ実行結果を受信すると前記ジョブ実行結果を記憶するジョブ実行結果記憶手段と、
携帯端末からジョブ実行結果要求通知を受信するジョブ実行結果要求通知受信手段と、
前記ジョブ実行結果要求通知を受信すると前記携帯端末に前記ジョブ実行結果を送信するジョブ実行結果送信手段と
を備えることを特徴とする情報処理装置。
【発明の詳細な説明】
【技術分野】
【０００１】
本発明は、画像形成装置が実行したジョブの実行結果を携帯端末に表示する画像形成システム、携帯端末、及び情報処理装置に関する。
【背景技術】
【０００２】
プリンター、多機能プリンター、多機能周辺装置、又は複合機（Ｍｕｌｔｉｆｕｎｃｔｉｏｎ  Ｐｅｒｉｐｈｅｒａｌ）である画像形成装置は、原稿の画像データを作成し、また作成した画像データを印刷するなどのジョブを実行することができる。このようなジョブを画像形成装置から実行したときには、実行結果を画像形成装置の操作パネルに表示する。また、携帯電話、スマートフォン、またはタブレット端末などの携帯端末や情報処理装置から画像形成装置に対してジョブの実行を要求したときには、ジョブの実行結果は、ジョブの実行を要求した携帯端末や情報処理装置の操作パネルに表示することができる。このように、携帯端末や情報処理装置から画像形成装置のジョブを実行すると、ユーザーは画像形成装置に移動することなく自分が操作している携帯端末や情報処理装置でジョブの実行結果を確認することができる。例えば、特許文献１の携帯端末から受信したプリントジョブを実行する画像形成装置では、携帯端末の位置とプリントジョブの終了予定時期により、ジョブの終了直前の通知を携帯端末に送信するようにしている。これにより、ユーザーがジョブの終了直前の通知を確認してから画像形成装置にプリント用紙を取りに行くようにすると、画像形成装置からプリント用紙が排出されるタイミングでユーザーがプリント用紙を取ることができる。このように、特許文献１の画像形成装置は、携帯端末から要求したジョブの終了直前の通知を画像形成装置が最適な時期に携帯端末に送信することができる。
【先行技術文献】
【特許文献】
【０００３】
【特許文献１】特開２００４−５８６３１号公報
【発明の概要】
【発明が解決しようとする課題】
【０００４】
特許文献１のような画像形成装置に対して携帯端末から原稿の読み取りを行うジョブを要求すると、原稿の画像データは画像形成装置または携帯端末に記憶される。しかし、この画像データの編集が必要となったときには、ユーザーは画像形成装置または携帯端末の操作パネルで画像データを編集しなければならないが携帯端末または画像形成装置の操作パネルは一般的に画像を表示するエリアが小さいことやキーホードを備えていないので、ユーザーは画像データの編集を容易に行うことができなかった。また、原稿が機密扱いとなっているときには、携帯端末に原稿の画像データを記憶すると、携帯端末を置き忘れたときに機密情報が漏洩するという問題があった。
【０００５】
本発明はこのような状況に鑑みてなされたものであり、上記課題を解決できる画像形成システム、携帯端末、及び情報処理装置を提供することを目的とする。
【課題を解決するための手段】
【０００６】
本発明の画像形成システムは、携帯端末と画像形成装置と情報処理装置とを有する画像形成システムであって、前記携帯端末は、前記画像形成装置にジョブ実行要求通知を送信するジョブ実行要求通知送信手段と、前記ジョブ実行要求通知のジョブの実行が完了すると前記画像形成装置からジョブ実行完了通知を受信するジョブ実行完了通知受信手段と、前記ジョブ実行完了通知を受信すると前記情報処理装置にジョブ実行結果要求通知を送信するジョブ実行結果要求通知送信手段と、前記ジョブ実行結果要求通知を送信すると前記情報処理装置からジョブ実行結果を受信する携帯端末ジョブ実行結果受信手段と、前記ジョブ実行結果を受信すると前記ジョブ実行結果を記憶する携帯端末ジョブ実行結果記憶手段とを備え、前記画像形成装置は、前記携帯端末から前記ジョブ実行要求通知を受信するジョブ実行要求通知受信手段と、前記ジョブ実行要求通知を受信すると前記ジョブを実行するジョブ実行手段と、前記ジョブの実行が完了すると前記情報処理装置にジョブ実行結果を送信する画像形成装置ジョブ実行結果送信手段と、前記情報処理装置に前記ジョブ実行結果を送信すると前記携帯端末に前記ジョブ実行完了通知を送信するジョブ実行完了通知送信手段とを備え、前記情報処理装置は、前記画像形成装置から前記ジョブ実行結果を受信する情報処理装置ジョブ実行結果受信手段と、前記ジョブ実行結果を受信すると前記ジョブ実行結果を記憶する情報処理装置ジョブ実行結果記憶手段と、前記携帯端末からジョブ実行結果要求通知を受信するジョブ実行結果要求通知受信手段と、前記ジョブ実行結果要求通知を受信すると前記携帯端末に前記ジョブ実行結果を送信する情報処理装置ジョブ実行結果送信手段とを備えることを特徴としている。
また、本発明の画像形成システムの前記携帯端末は、受信した前記ジョブ実行結果を表示するジョブ実行結果表示手段と、表示されている前記ジョブ実行結果を消去すると記憶されている前記ジョブ実行結果を削除するジョブ実行結果削除手段とを備えることを特徴としている。
また、本発明の画像形成システムの前記ジョブは、原稿を読み取るジョブであることを特徴としている。
また、本発明の画像形成システムの前記ジョブは、画像データからプレビュー画像データを作成するジョブであることを特徴としている。
本発明の携帯端末は、画像形成装置にジョブ実行要求通知を送信するジョブ実行要求通知送信手段と、前記ジョブ実行要求通知のジョブの実行が完了すると前記画像形成装置からジョブ実行完了通知を受信するジョブ実行完了通知受信手段と、前記ジョブ実行完了通知を受信すると情報処理装置にジョブ実行結果要求通知を送信するジョブ実行結果要求通知送信手段と、前記ジョブ実行結果要求通知を送信すると前記情報処理装置からジョブ実行結果を受信するジョブ実行結果受信手段と、前記ジョブ実行結果を受信すると前記ジョブ実行結果を記憶するジョブ実行結果記憶手段とを備えることを特徴としている。
また、本発明の携帯端末は、受信した前記ジョブ実行結果を表示するジョブ実行結果表示手段と、表示されている前記ジョブ実行結果を消去すると記憶されている前記ジョブ実行結果を削除するジョブ実行結果削除手段とを備えることを特徴としている。
本発明の画像形成装置は、携帯端末からジョブ実行要求通知を受信するジョブ実行要求通知受信手段と、前記ジョブ実行要求通知を受信するとジョブを実行するジョブ実行手段と、前記ジョブの実行が完了すると情報処理装置にジョブ実行結果を送信するジョブ実行結果送信手段と、前記情報処理装置に前記ジョブ実行結果を送信すると前記携帯端末にジョブ実行完了通知を送信するジョブ実行完了通知送信手段とを備えることを特徴としている。
本発明の情報処理装置は、画像形成装置からジョブ実行結果を受信するジョブ実行結果受信手段と、前記ジョブ実行結果を受信すると前記ジョブ実行結果を記憶するジョブ実行結果記憶手段と、携帯端末からジョブ実行結果要求通知を受信するジョブ実行結果要求通知受信手段と、前記ジョブ実行結果要求通知を受信すると前記携帯端末に前記ジョブ実行結果を送信するジョブ実行結果送信手段とを備えることを特徴としている。
【発明の効果】
【０００７】
本発明の画像形成システム、携帯端末、及び情報処理装置は、携帯端末から画像形成装置のジョブを実行し、ジョブの実行結果を情報処理装置に記憶することでユーザーの利便性を向上させ、また、携帯端末による機密情報の漏洩を防止できる。
【図面の簡単な説明】
【０００８】
【図１】本発明の実施形態に係る画像形成システムの構成を示す図である。
【図２】図１に示す画像形成システムの画像形成装置、携帯端末、及びＰＣの機能構成を示す図である。
【図３】本発明の実施形態に係る原稿の画像データを携帯端末に表示する操作手順を示す図である。
【図４】本発明の実施形態に係る原稿の画像データを携帯端末に表示する処理手順の流れを示すフローチャートである。
【発明を実施するための形態】
【０００９】
以下、本発明を実施するための形態（以下、「実施形態」という）を、図面を参照して説明する。実施形態では、携帯端末からの操作により画像形成装置の原稿台にセットした原稿を読み取るジョブを画像形成装置に要求すると、画像形成装置がジョブを実行し、読み取った原稿の画像データを情報処理装置に送信する。また、読み取った原稿の画像データの表示操作を携帯端末から行うと、携帯端末は情報処理装置から画像データを受信して画像データの画像を表示する。携帯端末から画像データの画像を消去する操作を行うと、携帯端末は記憶している画像データを削除する。
【００１０】
まず、本実施形態の画像形成システム１０のシステム構成について、図１を用いて説明する。図１に示すように、画像形成システム１０は、複数の画像形成装置１００、複数の携帯端末２００、複数のＰＣ３００、アクセスポイント４００、ネットワーク５００、ルーター６００、インターネット７００、及びアクセスポイント８００により構成されている。画像形成装置１００、ＰＣ３００、及びアクセスポイント４００はネットワーク５００に接続され、ネットワーク５００はルーター６００を経由してインターネット７００に接続されている。
【００１１】
画像形成装置１００は、プリンター、多機能プリンター、多機能周辺装置、または複合機である。画像形成装置１００は、近距離無線通信、アクセスポイント４００、またはインターネット７００により携帯端末２００とＳＭＢ（Server Message Block）プロトコルなどを用いてデータの送受信を行うことができる。また、画像形成装置１００は、ネットワーク５００またはインターネット７００によりＰＣ３００とＳＭＢプロトコルなどを用いてデータの送受信を行うことができる。
【００１２】
携帯端末２００は、携帯電話、スマートフォン、またはタブレット端末等である。携帯端末２００は、近距離無線通信、ネットワーク５００のアクセスポイント４００、またはインターネット７００のアクセスポイント８００により画像形成装置１００とＳＭＢプロトコルなどを用いてデータの送受信を行うことができる。また、携帯端末２００は、ネットワーク５００のアクセスポイント４００、またはインターネット７００のアクセスポイント８００によりＰＣ３００とＳＭＢプロトコルなどを用いてデータの送受信を行うことができる。
【００１３】
ＰＣ３００は、情報処理装置の一例としてのパソコンである。ＰＣ３００は、ネットワーク５００またはインターネット７００により画像形成装置１００及び携帯端末２００とＳＭＢプロトコルなどを用いてデータの送受信を行うことができる。
【００１４】
アクセスポイント４００は、ネットワーク５００に接続され、無線通信によりアクセスポイント４００に対して接続要求を行っている携帯端末２００をネットワーク５００に接続する。
【００１５】
ネットワーク５００は、ＬＡＮ（Local Area Network）などのネットワーク(イントラネット等)であり、複数の画像形成装置１００、複数のＰＣ３００、アクセスポイント４００が接続されている。
【００１６】
ルーター６００は、ネットワーク５００に接続され、ネットワーク５００をインターネット７００に接続する。
【００１７】
インターネット７００は、インターネットやイントラネット等のＩＰネットワークであり、複数の携帯端末２００がアクセスポイント８００を経由して接続する。
【００１８】
次に、画像形成システム１０の画像形成装置１００、携帯端末２００、及びＰＣ３００の機能構成について、図２を用いて説明する。図２に示す画像形成装置１００、携帯端末２００、及びＰＣ３００は、図１に示す画像形成システム１０において、ネットワーク５００に接続する１台の画像形成装置１００、アクセスポイント４００によりネットワーク５００に接続する１台の携帯端末２００、及びネットワーク５００に接続する１台のＰＣ３００の機能構成を示す。また、図１に示す他の画像形成装置１００、携帯端末２００、及びＰＣ３００についても同様の機能構成である。
【００１９】
まず、画像形成装置１００の機能構成について、説明する。図２に示す画像形成装置１００は、制御部１１０、メモリー部１２０、記憶部１３０、操作パネル１４０、操作パネル処理部１５０、原稿読取部１６０、画像処理部１７０、近距離無線通信部１８０、及びネットワーク通信部１９０を備え、これら各部はバスなどにより接続される構成となっている。制御部１１０には、ジョブ実行処理部１１０ａとジョブ実行完了処理部１１０ｂが設けられている。メモリー部１２０には、画像データ記憶エリア１２０ａが設けられている。記憶部１３０には、ドキュメントボックス１３０ａが設けられている。
【００２０】
制御部１１０は、ＲＡＭやＲＯＭ等の主記憶装置、及びＣＰＵ(Central Processing Unit)等の制御装置を備えている。また、制御部１１０は、各種Ｉ／Ｏや、ＵＳＢ（ユニバーサル・シリアル・バス）等のインターフェイス、バスコントローラー等を含む総合的な画像形成装置１００の制御を行う。
ジョブ実行処理部１１０ａは、操作パネル１４０からのジョブ実行要求操作または携帯端末２００からジョブ実行要求通知を受信するとジョブを実行する。
ジョブ実行完了処理部１１０ｂは、ジョブの実行が完了したときにジョブ実行結果をＰＣ３００に送信する。また、ジョブ実行完了処理部１１０ｂは、ジョブ実行要求を行った操作パネル１４０または携帯端末２００にジョブ実行完了を通知する。
【００２１】
メモリー部１２０は、フラッシュメモリー等の補助記憶装置で、制御部１１０が実行する処理のプログラムやデータを記憶する。
画像データ記憶エリア１２０ａは、原稿読取部１６０から読み取った画像データや、ネットワーク通信部１９０を経由して他の画像形成装置１００や携帯端末２００から受信した画像データを記憶する。
【００２２】
記憶部１３０は、データやプログラムを記憶するハードディスクドライブである。
ドキュメントボックス１３０ａには、ユーザー毎の複数のドキュメントボックスが設けられている。各々のドキュメントボックスには、ユーザーが管理する画像データが記憶されている。
【００２３】
操作パネル１４０は、操作画面やジョブ実行結果の表示と、ユーザーによる操作受け付けを行う液晶パネルである。
【００２４】
操作パネル処理部１５０は、画像形成装置１００が備えている機能に対する操作項目やジョブの実行結果を操作パネル１４０に表示する処理、または操作パネル１４０からユーザーの操作を入力する処理を行う。
【００２５】
原稿読取部１６０は、ユーザーによる操作パネル１４０から原稿の読み取り操作、または携帯端末２００から受信するジョブ実行要求通知により、画像形成装置１００の原稿台にセットされた原稿の読み取りを行い、読み取った原稿データを画像処理部１７０に出力する。
ジョブ実行要求通知
【００２６】
画像処理部１７０は、原稿読取部１６０が読み取った原稿データを入力すると、画像形成装置１００で処理可能な画像データに変換する。
【００２７】
近距離無線通信部１８０は、近距離無線通信規格であるBluetooth（登録商標）や赤外線通信により携帯端末２００と近距離での直接通信を行う。
【００２８】
ネットワーク通信部１９０は、着脱可能なＬＡＮインターフェイスを備え、ネットワーク５００に接続する。
【００２９】
次に、携帯端末２００の機能構成について、説明する。図２に示す携帯端末２００は、制御部２１０、メモリー部２２０、操作パネル２３０、操作パネル処理部２４０、近距離無線通信部２５０、及びネットワーク通信部２６０を備え、これら各部はバスなどにより接続される構成となっている。制御部２１０には、ジョブ実行要求処理部２１０ａとジョブ実行結果表示処理部２１０ｂが設けられている。メモリー部２２０には、ジョブ実行結果記憶エリア２２０ａが設けられている。
【００３０】
制御部２１０は、ＲＡＭやＲＯＭ等の主記憶装置、及びＣＰＵ(Central Processing Unit)等の制御装置を備えている。また、制御部２１０は、各種Ｉ／Ｏや、ＵＳＢ（ユニバーサル・シリアル・バス）等のインターフェイス、バスコントローラー等を含む総合的な携帯端末２００の制御を行う。
ジョブ実行要求処理部２１０ａは、画像形成装置１００に対してジョブの実行要求を送信する。
ジョブ実行結果表示処理部２１０ｂは、ＰＣ３００に対してジョブの実行結果要求を送信し、ＰＣ３００からジョブの実行結果を受信すると、操作パネル２３０に表示する。
【００３１】
メモリー部２２０は、フラッシュメモリー等の補助記憶装置で、制御部２１０が実行する処理のプログラムやデータを記憶する。
ジョブ実行結果記憶エリア２２０ａは、ＰＣ３００から受信するジョブの実行結果を記憶する。
【００３２】
操作パネル２３０は、操作画面やジョブ実行結果の表示と、ユーザーによる操作受け付けを行う液晶パネルである。
【００３３】
操作パネル処理部２４０は、携帯端末２００が備えている機能に対する操作項目やジョブの実行結果を表示する処理、または操作パネル２３０からユーザーの操作を入力する処理を行う。
【００３４】
近距離無線通信部２５０は、近距離無線通信規格であるBluetooth（登録商標）や赤外線通信により画像形成装置１００と近距離での直接通信を行う。
【００３５】
ネットワーク通信部２６０は、アクセスポイント４００を経由してネットワーク５００に接続する。また、ネットワーク通信部２６０は、アクセスポイント８００を経由してインターネット７００に接続する。
【００３６】
次に、ＰＣ３００の機能構成について、説明する。図２に示すＰＣ３００は、制御部３１０、メモリー部３２０、ネットワーク通信部３３０、操作パネル３４０、及び操作パネル処理部３５０を備え、これら各部はバスなどにより接続される構成となっている。制御部３１０には、ジョブ実行結果受信処理部３１０ａとジョブ実行結果送信処理部３１０ｂが設けられている。メモリー部３２０には、ジョブ実行結果記憶エリア３２０ａが設けられている。
【００３７】
制御部３１０は、ＲＡＭやＲＯＭ等の主記憶装置、及びＣＰＵ(Central Processing Unit)等の制御装置を備えている。また、制御部３１０は、各種Ｉ／Ｏや、ＵＳＢ（ユニバーサル・シリアル・バス）等のインターフェイス、バスコントローラー等を含む総合的なＰＣ３００の制御を行う。
ジョブ実行結果受信処理部３１０ａは、画像形成装置１００から送信されるジョブ実行結果を受信し、ジョブ実行結果記憶エリア３２０ａに記憶する。
ジョブ実行結果送信処理部３１０ｂは、携帯端末２００からジョブ実行結果要求通知を受信すると、ジョブ実行結果記憶エリア３２０ａからジョブ実行結果要求通知に設定されているジョブ番号に対応するジョブ実行結果を取り出し、携帯端末２００に送信する。
【００３８】
メモリー部３２０は、フラッシュメモリー等の補助記憶装置で、制御部３１０が実行する処理のプログラムやデータを記憶する。
ジョブ実行結果記憶エリア３２０ａは、画像形成装置１００から受信するジョブ実行結果を記憶する。
【００３９】
ネットワーク通信部３３０は、着脱可能なＬＡＮインターフェイスを備え、ネットワーク５００に接続する。
【００４０】
操作パネル３４０は、操作画面やジョブ実行結果の表示と、ユーザーによる操作受け付けを行う液晶パネルである。
【００４１】
操作パネル処理部３５０は、ＰＣ３００が備えている機能に対する操作項目やジョブの実行結果を表示する処理、または操作パネル３４０からユーザーの操作を入力する処理を行う。
【００４２】
次に、実施形態における原稿の画像データを携帯端末に表示する操作手順について、図３を用いて説明する。
まず、（１）に示すようにユーザーが画像形成装置１００の原稿台に原稿をセットする。次いで、ユーザーが携帯端末２００の操作パネル２３０から原稿台にセットした原稿を読み取る操作を行うと、（２）に示すように携帯端末２００から原稿の読み取りを行うためのジョブ実行要求通知が送信される。次いで、画像形成装置１００がジョブ実行要求通知を受信すると、（３）に示すように原稿の読み取りを行うジョブを実行する。次いで、画像形成装置１００がジョブの実行を完了すると、（４）に示すように画像形成装置１００から原稿の読み取りを行ったジョブのジョブ番号と読み取った原稿の画像データを設定したジョブ実行結果をＰＣ３００に送信する。次いで、画像形成装置１００は、（５）に示すように原稿の読み取りを行ったジョブのジョブ番号を設定したジョブ実行完了通知を携帯端末２００に送信する。次いで、携帯端末２００がジョブ実行完了通知を受信すると、（６）に示すように操作パネル２３０にジョブ実行完了通知を表示する。次いで、ユーザーが操作パネル２３０からジョブ実行完了通知に設定されているジョブ番号に対するジョブ実行結果を表示する操作を行うと、（７）に示すように携帯端末２００からジョブ実行完了通知のジョブ番号を設定したジョブ実行結果要求通知をＰＣ３００に送信する。次いで、ＰＣ３００がジョブ実行結果要求通知を受信すると、（８）に示すようにＰＣ３００からジョブ実行結果要求通知に設定されているジョブ番号に対応するジョブ実行結果を携帯端末２００に送信する。次いで、（９）に示すように携帯端末２００は受信したジョブ実行結果に設定されている画像データの画像を操作パネル２３０に表示する。また、ユーザーの操作により操作パネル２３０に表示されている画像データの画像が消去されると、（１０）に示すように携帯端末２００が記憶しているジョブ実行結果を削除する。
【００４３】
次に、原稿の画像データを携帯端末に表示する処理手順について、図４のフローチャートを用いて更に詳しく説明する。
【００４４】
（ステップＳ１０１）
まず、ユーザーが画像形成装置１００の原稿台に原稿をセットし、携帯端末２００の操作パネル２３０から原稿の読み取りの操作を行うと、操作パネル処理部２４０が原稿の読み取り要求を入力し、制御部２１０に出力する。
【００４５】
（ステップＳ１０２）
次いで、制御部２１０は、原稿の読み取り要求を入力すると、ジョブ実行要求処理部２１０ａを起動する。ジョブ実行要求処理部２１０ａは、ネットワーク通信部２６０により原稿の読み取りを行うジョブ実行要求通知を画像形成装置１００に送信する。
【００４６】
（ステップＳ１０３）
次いで、画像形成装置１００は、ネットワーク通信部１９０により原稿の読み取りを行うジョブ実行要求通知を受信すると、原稿の読み取りを行うジョブ実行要求通知を制御部１１０に出力する。
【００４７】
（ステップＳ１０４）
次いで、制御部１１０は、原稿の読み取りを行うジョブ実行要求通知を入力すると、ジョブ実行処理部１１０ａを起動する。ジョブ実行処理部１１０ａは、原稿読取部１６０により原稿台にセットされている原稿を読み取り、画像処理部１７０により読み取った原稿データから画像データを作成し、画像データ記憶エリア１２０ａに記憶する。
【００４８】
（ステップＳ１０５）
次いで、制御部２１０は、ジョブ実行処理部１１０ａがジョブ実行処理を終了したことを検出すると、ジョブ実行完了処理部１１０ｂを起動する。ジョブ実行完了処理部１１０ｂは、画像データ記憶エリア１２０ａから画像データを取り出し、画像データとジョブ実行処理部１１０ａが実行したジョブのジョブ番号を設定したジョブ実行結果を作成する。
【００４９】
（ステップＳ１０６）
次いで、ジョブ実行完了処理部１１０ｂはネッワーク通信部１９０によりジョブ実行結果をＰＣ３００に送信する。
【００５０】
（ステップＳ１０７）
次いで、ＰＣ３００は、ネットワーク通信部３３０によりジョブ実行結果を受信すると、ジョブ実行結果記憶エリア３２０ａに記憶する。
【００５１】
（ステップＳ１０８）
次いで、ジョブ実行完了処理部１１０ｂは、ジョブ実行処理部１１０ａが実行したジョブのジョブ番号をジョブ実行完了通知に設定し、ネッワーク通信部１９０によりジョブ実行完了通知を携帯端末２００に送信する。
【００５２】
（ステップＳ１０９）
次いで、携帯端末２００は、ネットワーク通信部２６０によりジョブ実行完了通知を受信すると、ジョブ実行完了通知を制御部２１０に出力する。
【００５３】
（ステップＳ１１０）
次いで、制御部２１０は、ジョブ実行完了通知を入力すると、ジョブ実行結果表示処理部２１０ｂを起動する。ジョブ実行結果表示処理部２１０ｂは、ジョブ実行完了通知からジョブ番号を取り出し、操作パネル処理部２４０により原稿の読み取りが完了したことを示すメッセージとジョブ番号を操作パネル２３０に表示する。
【００５４】
（ステップＳ１１１）
次いで、ユーザーが携帯端末２００の操作パネル２３０に表示されたジョブ番号に対応するジョブ実行結果を表示する操作を行うと、操作パネル処理部２４０がジョブ実行結果表示要求を入力し、ジョブ実行結果表示処理部２１０ｂに出力する。
【００５５】
（ステップＳ１１２）
次いで、ジョブ実行結果表示処理部２１０ｂは、ジョブ実行結果表示要求を入力すると、ネットワーク通信部２６０によりジョブ番号を設定したジョブ実行結果要求通知をＰＣ３００に送信する。
【００５６】
（ステップＳ１１３）
次いで、ＰＣ３００は、ネットワーク通信部３３０によりジョブ実行結果要求通知を受信すると、ジョブ実行結果要求通知を制御部３１０に出力する。
【００５７】
（ステップＳ１１４）
次いで、制御部３１０は、ジョブ実行結果要求通知を入力すると、ジョブ実行結果送信処理部３１０ｂを起動する。ジョブ実行結果送信処理部３１０ｂは、ジョブ実行結果記憶エリア３２０ａからジョブ実行結果要求通知に設定されているジョブ番号に対応するジョブ実行結果を取り出し、ネットワーク通信部３３０により携帯端末２００に送信する。
【００５８】
（ステップＳ１１５）
次いで、携帯端末２００は、ネットワーク通信部２６０によりジョブ実行結果を受信すると、ジョブ実行結果をジョブ実行結果表示処理部２１０ｂに出力する。
【００５９】
（ステップＳ１１６）
次いで、ジョブ実行結果表示処理部２１０ｂは、ジョブ実行結果をジョブ実行結果記憶エリア２２０ａに記憶する。
【００６０】
（ステップＳ１１７）
次いで、ジョブ実行結果表示処理部２１０ｂは、ジョブ実行結果に設定されている画像データの画像を操作パネル処理部２４０により操作パネルに表示する。
【００６１】
（ステップＳ１１８）
次いで、ユーザーが携帯端末２００の操作パネル２３０に表示されている画像データの画像を確認し、操作パネル２３０から画像データの画像を消去する操作を行うと、操作パネル処理部２４０がジョブ実行結果表示終了要求を入力し、ジョブ実行結果表示処理部２１０ｂに出力する。
【００６２】
（ステップＳ１１９）
次いで、ジョブ実行結果表示処理部２１０ｂは、ジョブ実行結果表示終了要求を入力すると、操作パネル２３０に表示されている画像データの画像を消去し、またジョブ実行結果記憶エリア２２０ａに記憶されているジョブ実行結果を削除すると、ジョブ実行結果表示処理を終了する。
【００６３】
以上により、画像形成装置１００に対して携帯端末２００から原稿の読み取りを行うジョブを要求すると、原稿の画像データがＰＣ３００に記憶されるので、画像データの編集が必要となったときには、ユーザーはＰＣ３００の操作パネルで画像データの編集を容易に行うことができる。また、ユーザーが携帯端末２００に表示した画像データの画像を確認した後に画像を消去すると、携帯端末２００に記憶されている画像データが削除されるので、携帯端末を置き忘れたときに機密情報が漏洩することを防止でき、また携帯端末２００のメモリー部２２０の空き容量を確保することができる。
【００６４】
なお、実施形態においては、画像形成装置１００の原稿台にセットした原稿を読み取るジョブの実行を携帯端末２００から要求するにしたが、これに限定されない。例えば、読み取った原稿の画像データやドキュメントボックス１３０ａの画像データからプレビュー画像データを作成すようなジョブの実行を要求することも可能である。このような場合では、プレビュー画像データが設定されたジョブ実行結果がＰＣ３００に記憶され、また携帯端末２００にはプレビュー画像データの画像が表示される。
【００６５】
また、実施形態においては、各々１台の画像形成装置１００、携帯端末２００、及びＰＣ３００の操作手順と処理手順について説明したが、複数の画像形成装置１００、携帯端末２００、及びＰＣ３００の場合においては、各々の装置の間で通知データやジョブ実行結果などのデータを送信するときに宛先を設定してデータを送信するとことで、１台の画像形成装置１００、携帯端末２００、及びＰＣ３００と同様の操作手順と処理手順で実施することができる。
【００６６】
また、実施形態においては、画像形成装置１００と携帯端末２００とをネットワーク５００で接続し、ネットワーク５００により携帯端末２００と画像形成装置１００はデータの送受信を行うようにしたが、これに限定されない。例えば、画像形成装置１００の近距離無線通信部１８０と携帯端末２００の近距離無線通信部２５０により、画像形成装置１００と携帯端末２００とを近距離無線通信で接続し、この近距離無線通信により携帯端末２００と画像形成装置１００がデータの送受信することも可能である。また、画像形成装置１００、携帯端末２００、及びＰＣ３００をインターネット７００により接続し、インターネット７００の通信プロトコルを用いて、画像形成装置１００、携帯端末２００、及びＰＣ３００がデータの送受信することも可能である。
【００６７】
このような本発明の画像形成システム、携帯端末、及びＰＣは、携帯端末から画像形成装置のジョブを実行し、ジョブの実行結果をＰＣに記憶することでユーザーの利便性を向上させ、また、携帯端末による機密情報の漏洩を防止できる。
【００６８】
以上、具体的な実施の形態により本発明を説明したが、上記実施の形態は本発明の例示であり、この実施の形態に限定されないことは言うまでもない。
【産業上の利用可能性】
【００６９】
本発明の画像形成システム、携帯端末、及びＰＣは、ジョブの実行が可能な装置、ジョブの実行結果が表示可能な装置、ジョブの実行結果を記憶可能な装置、及びこのような装置を備えるあらゆるシステムに適用できる。
【符号の説明】
【００７０】
１０・・・・・画像形成システム
１００・・・・・画像形成装置
１１０・・・・・制御部
１１０ａ・・・・ジョブ実行処理部
１１０ｂ・・・・ジョブ実行完了処理部
１２０・・・・・メモリー部
１２０ａ・・・・画像データ記憶エリア
１３０・・・・・記憶部
１３０ａ・・・・ドキュメントボックス
１４０・・・・・操作パネル
１５０・・・・・操作パネル処理部
１６０・・・・・原稿読取部
１７０・・・・・画像処理部
１８０・・・・・近距離無線通信部
１９０・・・・・ネットワーク通信部
２００・・・・・携帯端末
２１０・・・・・制御部
２１０ａ・・・・ジョブ実行要求処理部
２１０ｂ・・・・ジョブ実行結果表示処理部
２２０・・・・・メモリー部
２２０ａ・・・・ジョブ実行結果記憶エリア
２３０・・・・・操作パネル
２４０・・・・・操作パネル処理部
２５０・・・・・近距離無線通信部
２６０・・・・・ネットワーク通信部
３００・・・・・ＰＣ
３１０・・・・・制御部
３１０ａ・・・・ジョブ実行結果受信処理部
３１０ｂ・・・・ジョブ実行結果送信処理部
３２０・・・・・メモリー部
３２０ａ・・・・ジョブ実行結果記憶エリア
３３０・・・・・ネットワーク通信部
３４０・・・・・操作パネル
３５０・・・・・操作パネル処理部
４００・・・・・アクセスポイント
５００・・・・・ネットワーク
６００・・・・・ルーター
７００・・・・・インターネット
８００・・・・・アクセスポイント
【図１】
2015203967.tif 000003
【図２】
2015203967.tif 000004
【図３】
2015203967.tif 000005
【図４】
2015203967.tif 000006